(57)【特許請求の範囲】
【請求項１】
患者の通院予定日を知らせる通院通知を表示報知する通院通知携帯端末であって、
患者の所持する前記通院通知携帯端末に医療機関から該患者の通院通知が送信されてきた場合に、アプリケーションプログラムにより前記通院通知携帯端末を所持する患者に対して該患者の前記通院通知を表示報知すると共に、当該通院通知携帯端末に記憶された電話帳データのチェックマークに基づいて前記患者の親族やホームヘルパーなどの前記患者の関係者が所持する携帯端末へ前記患者の通院通知を送信する表示報知手段、を有する
ことを特徴とする通院通知携帯端末。
【請求項２】
前記表示報知手段が各処理を実行するための前記アプリケーションプログラムは、前記医療機関の管理端末からの通信によって当該通院通知携帯端末にインストールされる、
ことを特徴とする請求項１記載の通院通知携帯端末。
【請求項３】
前記表示報知手段は、前記患者の登録受付のときに、インストールされた前記アプリケーションプログラムにより、前記患者の電話帳データと連携し、通院通知を通知すべき関係者のメールアドレスに前記チェックマークを付与する、
ことを特徴とする請求項１記載の通院通知携帯端末。
【請求項４】
前記表示報知手段は、前記アプリケーションプログラムにより、前記患者が前記医療機関に入館する際に前記医療機関の管理端末の通信により通知された予約情報を記憶する予約情報記憶手段と、
該予約情報記憶手段が記憶する予約情報の有する予約時期が所定の期間内に近づいたか否か監視する予約時期監視手段と、
を有し、
該予約時期監視手段により予約時期が所定の期間内に近づいたことが観取されたとき前記表示報知を実行する、
ことを特徴とする請求項１記載の通院通知携帯端末。
【請求項５】
前記表示報知手段は、前記アプリケーションプログラムにより、
最初の前記表示報知を実行してから前記医療機関の再来受付機により前記患者が再来を受付けられるまでの間に、所定の周期（時間間隔）で行った前記表示報知の回数を計数する報知回数計数手段と、
前記所定の周期と前記表示報知の回数を医療機関の管理端末へ送信する計数値送信手段と、
該計数値送信手段からの送信に応じて前記医療機関の前記管理端末から返信された返信情報に基づいて以降の前記表示報知を実行する周期を設定する周期設定手段と、を有する
ことを特徴とする請求項１記載の通院通知携帯端末。
【請求項６】
通院通知携帯端末により患者の通院予定日を知らせる通院通知を表示報知する通院通知方法であって、
患者の所持する前記通院通知携帯端末に医療機関から該患者の通院通知が送信されてきた場合に、アプリケーションプログラムにより前記通院通知携帯端末を所持する患者に対して該患者の前記通院通知を表示報知すると共に、当該通院通知携帯端末に記憶された電話帳データのチェックマークに基づいて前記患者の親族やホームヘルパーなどの前記患者の関係者が所持する携帯端末へ前記患者の通院通知を該患者の通院通知携帯端末から送信する表示報知工程、
を含むことを特徴とする通院通知方法。
【請求項７】
通院通知携帯端末により読み取られて患者の通院予定日を知らせる通院通知の表示報知を実行するアプリケーションプログラムからなる通院通知プログラムであって、
患者の所持する前記通院通知携帯端末に医療機関から該患者の通院通知が送信されてきた場合に、前記通院通知携帯端末を所持する患者に対して該患者の前記通院通知を表示報知すると共に、内蔵の電話帳データのチェックマークに基づいて前記患者の親族やホームヘルパーなどの前記患者の関係者が所持する携帯端末へ前記患者の通院通知を一般の携帯端末用通信網を介してメールにより表示報知する表示報知手順、を有する
ことを特徴とする通院通知プログラム。
【発明の詳細な説明】
【技術分野】
【０００１】
本発明は、通院通知携帯端末、通院通知方法、及び通院通知プログラムに関わり、より詳しくは、患者だけでなく親族やホームヘルパーなどの患者の関係者へ患者の通院状況を通知し、患者が医師の指示に従って通院や薬の服用を忘れずに実行できるようにする通院通知携帯端末、通院通知方法、及び通院通知プログラムに関する。
【背景技術】
【０００２】
従来、医療現場において、患者が医師の指示に従って通院や薬の服用を行うことは、効果的な療養を行う上で非常に重要かつ不可欠なことであるにも関わらず、患者個人の記憶に頼る部分が強いため患者が通院や薬の服用を忘れてしまうと効果的な医療が行われないという問題がある。
【０００３】
この問題の改善については、健康診断管理センタの機器で健康診断の予約申込みを受付け、健康診断の期限が近づくと予約状況を確認して未予約者を抽出し、健康診断受診者端末と受診者上長機器に予約未実施である旨の警告を送信し、時期を過ぎると予約者およびその関係者の上長機器に警告を出す健康診断予約管理システムが提案されている。（例えば、特許文献１参照。）
また、医療機関側端末を介して送信される在宅療法患者の患者基本情報と通院予定日をデータセンタに登録し、データセンタは登録データを管理し、メールサーバから予定日より所定日数以前に患者の患者側端末宛に通院予定日を通知するという通院アラートシステムが提案されている。（例えば、特許文献２参照。）
【先行技術文献】
【特許文献】
【０００４】
【特許文献１】特開２００４−２４６５９４号公報
【特許文献２】特開２００５−２８５０３３号公報
【発明の概要】
【発明が解決しようとする課題】
【０００５】
ところで、特許文献１の技術は、患者だけでなく患者以外の関係者の個人情報も全てセンタシステムに集約してしまうため、ハッキング等による個人情報流出が起きた場合、被害の範囲が拡大する可能性が高い。また、全ての患者へ一律に連絡するため、不必要な通院通知に繋がる可能性もある。
【０００６】
また、特許文献２の技術は、患者個人のみに通知する方式であり、患者から口頭や携帯電話等で通院日時を例えばホームヘルパー等の関係者へ通知しなければならず、物忘れのひどい患者では関係者へ通知をし忘れるおそれが多分にあり、関係者は通院状況を把握できず手助けできない。このような患者に対しては忘れ防止の対策としては不十分であるという課題がある。
【０００７】
本発明は、上記従来の課題を解決するものであって、患者だけでなく親族やホームヘルパーなどの患者の関係者等へ患者の通院状況を通知し、患者が医師の指示に従って通院や薬の服用を忘れずに実行できるようにする通院通知携帯端末、通院通知方法、及び通院通知プログラムを提供することを目的とする。
【課題を解決するための手段】
【０００８】
上記課題を解決するために、本発明の通院通知携帯端末は、患者の通院予定日を知らせる通院通知を表示報知する通院通知携帯端末であって、患者の所持する前記通院通知携帯端末に医療機関から該患者の通院通知が送信されてきた場合に、アプリケーションプログラムにより前記通院通知携帯端末を所持する患者に対して該患者の前記通院通知を表示報知すると共に、当該通院通知携帯端末に記憶された電話帳データのチェックマークに基づいて前記患者の親族やホームヘルパーなどの前記患者の関係者が所持する携帯端末へ前記患者の通院通知を送信する表示報知手段、を有するように構成される。
【０００９】
この通院通知携帯端末において、前記表示報知手段が各処理を実行するための前記アプリケーションプログラムは、前記医療機関の管理端末からの通信によって当該通院通知携帯端末にインストールされるように構成される。
【００１０】
この通院通知携帯端末において、前記表示報知手段は、前記患者の登録受付のときに、インストールされた前記アプリケーションプログラムにより、前記患者の電話帳データと連携し、通院通知を通知すべき関係者のメールアドレスに前記チェックマークを付与するように構成される。
【００１１】
また、前記表示報知手段は、前記アプリケーションプログラムにより、前記患者が前記医療機関に入館する際に前記医療機関の管理端末の通信により通知された予約情報を記憶する予約情報記憶手段と、該予約情報記憶手段が記憶する予約情報の有する予約時期が所定の期間内に近づいたか否か監視する予約時期監視手段と、を有し、該予約時期監視手段により予約時期が所定の期間内に近づいたことが観取されたとき前記表示報知を実行する、ように構成される。
【００１２】
また、前記表示報知手段は、前記アプリケーションプログラムにより、最初の前記表示報知を実行してから前記医療機関の再来受付機により前記患者が再来を受付けられるまでの間に、所定の周期（時間間隔）で行った前記表示報知の回数を計数する報知回数計数手段と、前記所定の周期と前記表示報知の回数を医療機関の管理端末へ送信する計数値送信手段と、該計数値送信手段からの送信に応じて前記医療機関の前記管理端末から返信された返信情報に基づいて以降の前記表示報知を実行する周期を設定する周期設定手段とを、を有するように構成される。
【００１３】
また、上記課題を解決するために、本発明の通院通知方法は、通院通知携帯端末により患者の通院予定日を知らせる通院通知を表示報知する通院通知方法であって、患者の所持する前記通院通知携帯端末に医療機関から該患者の通院通知が送信されてきた場合に、アプリケーションプログラムにより前記通院通知携帯端末を所持する患者に対して該患者の前記通院通知を表示報知すると共に、当該通院通知携帯端末に記憶された電話帳データのチェックマークに基づいて前記患者の親族やホームヘルパーなどの前記患者の関係者が所持する携帯端末へ前記患者の通院通知を該患者の通院通知携帯端末から送信する表示報知工程、を含んで構成される。
【００１４】
この通院通知方法において、例えば、前記表示報知工程において各処理を実行するための前記アプリケーションプログラムは、前記医療機関の管理端末からの通信によって当該通院通知携帯端末にインストールされるように構成される。
【００１５】
また、この通院通知方法において、例えば、前記表示報知工程は、前記患者の登録受付のときに、インストールされた前記アプリケーションプログラムにより、前記患者の電話帳データと連携し、通院通知を通知すべき関係者のメールアドレスに前記チェックマークを付与するように構成される。
【００１６】
前記表示報知工程は、前記アプリケーションプログラムにより、前記患者が前記医療機関に入館する際に前記医療機関の管理端末の通信により通知された予約情報を記憶する予約情報記憶工程と、該予約情報記憶工程が記憶する予約情報の有する予約時期が所定の期間内に近づいたか否か監視する予約時期監視工程と、を含み、該予約時期監視工程により予約時期が所定の期間内に近づいたことが観取されたとき前記表示報知を実行する構成される。
【００１７】
また、前記表示報知工程は、前記アプリケーションプログラムにより、最初の前記表示報知を実行してから前記医療機関の再来受付機により前記患者が再来を受付けられるまでの間に、所定の周期（時間間隔）で行った前記表示報知の回数を計数する報知回数計数工程と、前記所定の周期と前記表示報知の回数を医療機関の管理端末へ送信する計数値送信工程と、該計数値送信工程からの送信に応じて前記医療機関の前記管理端末から返信された返信情報に基づいて以降の前記表示報知を実行する周期を設定する周期設定工程と含むように構成される。
【００１８】
また、上記課題を解決するために、本発明の通院通知プログラムは、通院通知携帯端末により読み取られて患者の通院予定日を知らせる通院通知の表示報知を実行するアプリケーションプログラムからなる通院通知プログラムであって、患者の所持する前記通院通知携帯端末に医療機関から該患者の通院通知が送信されてきた場合に、前記通院通知携帯端末を所持する患者に対して該患者の前記通院通知を表示報知すると共に、内蔵の電話帳データのチェックマークに基づいて前記患者の親族やホームヘルパーなどの前記患者の関係者が所持する携帯端末へ前記患者の通院通知を一般の携帯端末用通信網を介してメールにより表示報知する表示報知手順、を有する、を有するように構成される。
【００１９】
前記表示報知手順において各処理を実行するための前記アプリケーションプログラムは、前記医療機関の管理端末からの通信によって当該通院通知携帯端末にインストールされるように構成される。
【００２０】
前記表示報知手順は、前記患者の登録受付のときに、前記患者の電話帳データと連携し、通院通知を通知すべき関係者のメールアドレスに前記チェックマークを付与するように構成される。
【００２１】
また、前記表示報知手順は、前記患者が前記医療機関に入館する際に前記医療機関の管理端末の通信により通知された予約情報を記憶する予約情報記憶手順と、該予約情報記憶手順が記憶する予約情報の有する予約時期が所定の期間内に近づいたか否か監視する予約時期監視手順と、を有し、該予約時期監視手順により予約時期が所定の期間内に近づいたことが観取されたとき前記表示報知を実行するように構成される。
【００２２】
前記表示報知手順は、最初の前記表示報知を実行してから前記医療機関の再来受付機により前記患者が再来を受付けられるまでの間に、所定の周期（時間間隔）で行った前記表示報知の回数を計数する報知回数計数手順と、前記所定の周期と前記表示報知の回数を医療機関の管理端末へ送信する計数値送信手順と、該計数値送信手順からの送信に応じて前記医療機関の前記管理端末から返信された返信情報に基づいて以降の前記表示報知を実行する周期を設定する周期設定手順と、を実行するように構成される。
【発明の効果】
【００２３】
本発明は、患者だけでなく親族やホームヘルパーなどの患者の関係者へ患者の通院状況を通知し、患者が医師の指示に従って通院や薬の服用を忘れずに実行できるようにする通院通知携帯端末、通院通知方法、及び通院通知プログラムを提供することができる。
【図面の簡単な説明】
【００２４】
【図１】本発明の実施例１に係る通院通知携帯端末の所有者である患者が通院する医療機関の通院通知システムの構成ブロック図である。
【図２】実施例１に係る通院通知携帯端末の機能ブロック図である。
【図３Ａ】実施例１に係る通院通知携帯端末において医療機関の通院通知システムの各部の端末と無線通信により連携しながら動作して患者だけでなく親族やホームヘルパーなどの患者の関係者へ患者の通院予定日を通知する処理のフローチャート（その１）である。
【図３Ｂ】実施例１に係る通院通知携帯端末において医療機関の通院通知システムの各部の端末と無線通信により連携しながら動作して患者だけでなく親族やホームヘルパーなどの患者の関係者へ患者の通院予定日を通知する処理のフローチャート（その２）である。
【図３Ｃ】実施例１に係る通院通知携帯端末において医療機関の通院通知システムの各部の端末と無線通信により連携しながら動作して患者だけでなく親族やホームヘルパーなどの患者の関係者へ患者の通院予定日を通知する処理のフローチャート（その３）である。
【発明を実施するための形態】
【００２５】
以下、本発明の実施の形態について、詳細に説明する。
【実施例１】
【００２６】
図１は、本発明の実施例１に係る通院通知携帯端末の所有者である患者が通院する医療機関の通院通知システムの構成ブロック図である。同図に示すように、医療機関の通院通知システム１は、患者案内システム部２、登録受付部３、受付部４、電子カルテ部５、携帯端末呼出システム部６等で構成されている。
【００２７】
携帯端末呼出システム部６は、中継サーバ７を備えている。中継サーバ７は通常の携帯端末通信網と連携可能であると共に、医療機関院内の各所に設置されたアクセスポイントと呼ばれる中継機器８を介して当該医療機関に通院する患者９の携帯端末１１と呼出等の無線通信を行うネットワークを形成している。
【００２８】
患者案内システム部２は、患者案内サーバ１２を備えている。患者案内サーバ１２は、自機のみならず医療機関院内の各所に設置された表示装置１３による表示システムを構築している。
【００２９】
この患者案内システム部２は、表示システムの表示装置１３により、その時々の患者９に対応する患者９が行くべき院内の部署を案内したり、専用のプロトコルによる接続回線１０を介して中継サーバ７と通信し、中継サーバ７に患者９の携帯端末１１への呼出を指示する。
【００３０】
登録受付部３は、初診の患者９が案内される部署であると共に、診療を終えた患者９が診療費を支払う会計部でもある。この登録受付部３には登録端末１４が配置されている。登録端末１４は、初診の患者９または不図示の付添人からの入力に基づいて、初診の患者９に対する診察券１５を発行するとともに、患者９に対応する部署向けの受付票１６を発行する。
【００３１】
受付票１６には、患者ＩＤ番号のほか、患者９の氏名、年齢、住所、病名等が記載されている。また、登録受付部３の登録端末１４は、一般に携帯端末を動作させる例えばアンドロイド（登録商標）のようなアプリケーションプログラムと通信する通信機能を備えている。
【００３２】
登録端末１４は、初診の患者９の了解の元に、上記の通信機能を用いて上記のアプリケーションプログラムと連携し、患者９の携帯端末１１と通院通知システム１と連動するためのプログラムマクロを導入する。
【００３３】
プログラムマクロは、一方では患者９の携帯端末１１のアドレスを登録端末１４に通知すると共に、他方では、携帯端末１１を動作させるアプリケーションプログラムがタグ付き言語で管理している電話帳データの中の例えば身近の親戚やホームヘルパーなどの患者関係者４０の携帯電話４１のアドレスを示す電話帳データにチェックマークを付加する。
【００３４】
また、このプログラムマクロには、患者９が受付部４の窓口に居るとき、電子カルテ部５から再来受付機１７を介して通信で通知された次回の通院日を記憶する処理、この通院日が近づいたとき通院日が近いことを示す表示報知（以下「通院通知」という）を患者９の携帯端末１１の表示画面に所定の周期（登録時には基準周期）で繰り返し表示する処理、及び通院通知をチェックマークの付加されている電話帳データの各アドレスに送信する処理が組み込まれている。
【００３５】
更に、プログラムマクロには、当該患者９が「通院通知」の表示に応じて医療機関の受付部４に出向き、再来受付機１７の診察券挿入口に診察券１５を差し込むまでの間に、「通院通知」が繰り返された回数及び現行の繰り返し周期を記憶する処理が組み込まれている。
【００３６】
再来受付機１７は、再来の受付票１６を発行すると、通信機能により、再来した患者９の携帯端末１１の中のプログラムマクロにより計数されていた「通院通知」の表示報知回数を「０」に初期化すると共に、当該患者ＩＤと今回「０」に初期化した今回表示報知回数と表示周期とを電子カルテ５の電子カルテサーバ１９に通知する。
【００３７】
電子カルテサーバ１９は、再来受付機１７から通知された当該患者９の今回通院通知回数とその表示周期とに基づいて、患者９の通院ランクを生成し、この生成した通院ランクを患者ＩＤとともに患者案内サーバ１２を介して中継サーバ７に通知する。
【００３８】
中継サーバ７は、当該患者９が医療機関の院内に居る間に、中継機器８を介して、上記電子カルテサーバ１９から通知された患者９の通院ランクを、通信により、当該患者９の携帯端末１１のプログラムマクロに通知する。
【００３９】
当該患者９の携帯端末１１のプログラムマクロは、登録端末１４から通知された通院ランクに基づいて新しい通院通知の周期を設定する。これにより、患者９の通院通知を受けてからの通院が早いときは通院通知の回数が少なく且つ周期が長くなり、患者９の通院通知を受けてからの通院が遅いときは通院通知の回数が多くなり且つ周期が短くなる。
【００４０】
上記登録受付部３又は受付部４で受付票１６を受け取った患者９は、診察券１５と受付票１６を持って、患者案内システム部２の案内に従って所定の患者待合室で待機し、携帯端末呼出システム部６からの呼出に応じて医療機関院内の所定の医療部署に入室し、診察券１５と受付票１６を提出し、適切な医療を受けた後、診察券１５を返却され、受付票１６は医療機関側に保管される。
【００４１】
電子カルテ部５は、電子カルテ端末１８と電子カルテサーバ１９を備えており、電子カルテサーバ１９は適宜容量の記憶量を有する記憶装置２１の所定の記憶領域に患者連絡先のデータベースを構築されている。患者連絡先のデータベースには、登録受付部３の登録端末１４で取得された患者９の携帯端末８のアドレスが記憶されている他、登録受付部３で発行した受付票１６に記載されているものと同様の患者のＩＤ番号、氏名、年齢、住所、病名、最終通院日等が記憶されている。
【００４２】
電子カルテ部５の電子カルテ端末１８には、患者９の医療を行った医師２２によって患者９の診療結果の詳細が入力される。入力された診療結果の詳細は、電子カルテサーバ１９の記憶装置２１の他の所定の記憶領域に構築されているカルテデータベースの当該患者９に対応する記憶領域に記憶される。
【００４３】
また、電子カルテサーバ１９は、カルテデータベースに記録された診療結果の詳細から患者９の次回診察日つまり次回通院日を読み出すと共に、受付部４の再来受付機１７から通知された患者９の表示報知回数と表示周期からなる通院状況に基づいて、前述したように、当該患者に関連するランクを生成し、この生成したランクを前述したように患者案内サーバ１２、中継サーバ７、中継機器８を介して当該患者９の携帯端末１１に通知する。
【００４４】
図２は、上記携帯端末１１の機能ブロック図である。同図に示すように、携帯端末１１の機能は、ＯＳ（operating system）２３と、このＯＳ２３のもとで動作するビジネスロジック（携帯端末用患者案内表示アプリケーション）２４と、このビジネスロジック２４の制御のもとに表示画面の表示を実行するユーザインタフェース２５を備えている。
【００４５】
携帯端末１１は、更なる機能として、複数のデバイスロジック２６、デバイス制御２７、データ管理２８、通信管理２９等の機能を備えている。これらの中で、ビジネスロジック２４、ユーザインタフェース２５、データ管理２８、通信管理２９の４機能は本発明に係る新たな機能を備えている。
【００４６】
すなわち、ビジネスロジック２４は、従来から後付けで付加可能な通院状況管理３１や受付番号管理３２等の機能、従来からある電文受信や電文生成、データ管理等の共通する管理３３の機能に加えて、ユーザインタフェース２５に表示する「通院通知」の特別な表示機能、データ管理２８や通信管理２９を制御する機能を備えている。
【００４７】
データ管理２８は、連絡先データ３４と通院状況データ３５を記憶して管理する機能である。連絡先データ３４は、電話帳データの中で、前述したチェックマークを付加された通院状況を通知すべき患者関係者の電話帳データのアドレスである。通院状況データ３５は、これも前述した「通院通知」の表示報知回数と表示周期からなるデータである。
【００４８】
これらのアドレスと通院状況データは通信管理２９に送信される。通信管理２９は、送受信管理３６、ＷＬＡＮ（Wireless Local Area Network)３７、携帯網３８の一般的な３機能を制御して、医療機関の通院通知システム１の患者案内システム部２からの指示を受信し、また、患者関係者への通院通知の連絡を送信する。
【００４９】
デバイスロジック２６は、ＡＰＩ（Application Program Interface）の規約に基づいて動作するソフトウェア開発ツールのセットとしてのＳＤＫ（Software Development Kit）を制御する機能である。
【００５０】
デバイス制御２７は、携帯端末１１が備えるスキャナ、バッテリ、表示画面、タッチパネル、プリンタ出力、バイブレータ、入力キー等を制御する機能である。
【００５１】
図３Ａ〜図３Ｃは、上記のように構成される携帯端末１１において、医療機関の通院通知システム１の各部の端末と無線通信により連携しながら動作する、患者だけでなく親族やホームヘルパーなどの患者の関係者へ患者の通院予定日を通知する処理のフローチャートである。
【００５２】
なお、図３Ａ、図３Ｂは、相互に横並びとなる（図Ａの右に図Ｂが並ぶ）フローを示しており、図３Ｃは図３Ａと図３Ｂに跨ってそれぞれの下に続くフローを示している。また、患者９の初診受付については、患者９の携帯端末１１に導入されるプログラムマクロに関する件と共に既に詳しく説明したので、ここでは患者９の医療機関への通院再来以降について説明する。
【００５３】
図３Ａ及び図３Ｂにおいて、先ず患者９が医療機関に入館すると、携帯端末呼出システム部６のアクセスポイント８により患者９（携帯端末１１）の到着が検知され、その到着が患者９の携帯端末１１のアドレスとして、中継サーバ７、患者案内システム部２の患者案内サーバ１２を介して電子カルテ部５に通知される。電子カルテ部５は、患者９の携帯端末１１のアドレスに基づいて次回通院日の予約処理を行う（ステップＳ５１）。
【００５４】
この処理では、電子カルテサーバ１９により、患者９の患者データの更新と、携帯端末１１への通知が行われる。患者データの更新では、記憶装置２１の所定の記憶領域に構築されている患者データベースの到着した患者９の患者ＩＤが確認され、時間帯・医師名を含む予約枠が新たに設定（更新）され、その予約日が「通院予定日」として患者９の携帯端末１１に通知される。
【００５５】
通院予定日の通知を受け取った患者９の携帯端末１１は、データ管理２８により、通院予定日を通院状況データ３５として記憶するとともに、連絡先データ３４により、電話帳データのチェックマークが付与されているアドレス、すなわち患者関係者４０の携帯端末４１に通院予定日を通知する（ステップＳ１１１、Ｓ４１１）。
【００５６】
一方、受付部４の再来受付機１７は、受付部４に出向いた患者９が再来受付機１７に診察券１５を挿通して入力した患者ＩＤを読み取って、その患者ＩＤを電子カルテ部５に通知する（ステップＳ１７１）。
【００５７】
電子カルテ部５は、再来受付機１７から患者ＩＤを受け取ると、患者の到着登録処理を行う（ステップＳ５２）。この処理では、患者データの更新と、受付番号の発行と、到着実績のカウントが行われる。
【００５８】
患者データの更新では、再来受付機１７から受け取った患者ＩＤに基づいて記憶装置２１の当該患者９のデータの到着日時（最終通院日）を更新する。受付番号の発行では受付番号が再来受付機１７宛てに送信される。到着実績のカウントは到着ステータスとして記憶装置２１の所定の記憶領域に記憶される。
【００５９】
上記の受付番号を受け取った再来受付機１７は、受付番号等を印刷した受付票を印刷出力する（ステップＳ１７２）。患者９は受付票を受け取って待合室で待機する。電子カルテ部５では、医師２２が待合室で待機する患者９を順次呼び出し、電子カルテ端末１８を用いて当該患者９の受付番号を入力して、患者９の呼出を患者案内システム部２に指示し、患者９が病室に入ったならば処理完了を確認する（ステップＳ５３、Ｓ５４）。
【００６０】
患者案内システム部２は、電子カルテ端末１８から電子カルテサーバ１９を介して通知された患者９の受付番号を表示システムに表示するとともに、携帯端末呼出システム部６に対し当該患者９の携帯端末１１の呼出しを指示し、かつ、詳しくは後述する当該患者９の到着実績のランクを通知する（ステップＳ２１）。
【００６１】
携帯端末呼出システム部６は中継サーバ７及び中継機器８を介し当該患者９の携帯端末１１に対し、患者案内システム部２から受け取った受付番号と受付番号を通知する。この通知を受け取った携帯端末１１は受付番号を表示装置に表示報知する（ステップＳ６１、Ｓ１１２）。
【００６２】
更に続いて、携帯端末１１は、通院実績反映処理を行う（ステップＳ１１３）。この処理では、通院状況のメンテナンス処理と、患者関係者への通院実績メール送信処理が行われる。
【００６３】
通院状況のメンテナンス処理は、後述する通院ランクを更新する処理である。患者関係者へメール送信される通院実績とは、患者９が医療期間に再来（通院）したこと及び予約時間を超過したか否かの記録である。通院実績の通知を受けた患者関係者４０の携帯端末４１は、通院実績の通知を表示装置に表示報知する（ステップＳ４１２）。
【００６４】
以上は、患者９が医療機関に再来（通院）してきたときの処理である。以下に説明する処理は、フローチャートでは上記に続けて示しているが、実際には患者９が医療機関に再来（通院）しなかった、又は極端に遅れて通院してくるまでの間の処理である。
【００６５】
先ず、電子カルテ部５は、患者９の予約時間を監視し、予め設定されている超過限度時間を超過しても患者９が医療機関に到着していないか否かを判別する（ステップＳ５５）。そして、患者９が到着していれば（ステップＳの判別がＮｏ）、ステップＳ５７のランク付けの処理に移行する。
【００６６】
一方、超過限度時間を超過しても患者９が到着していなときは（ステップＳの判別がＹｅｓ）、患者９の未到着処理を行ってから（ステップＳ５６）、ステップＳ５７のランク付けの処理に移行する。
【００６７】
上記ステップＳ５６の患者９の未到着処理では、当該患者９の携帯端末１１への未到着通知と未到着実績のカウントが行われる。当該患者９の携帯端末１１は、未到着の通知を受け取ると、未通院であることを表示画面に表示すると共に、患者関係者４０の携帯端末４１に未通院であることを通知する（ステップＳ１１４）。
【００６８】
未通院の通知を受けた患者関係者４０の携帯端末４１は、未通院の通知を表示画面に表示する（ステップＳ４１３）。
電子カルテ部５は、患者９が未到着（未通院）であるか到着した（再来した）かに関わりなく、ステップＳ５７のランク付けの処理を実行する。このランク付けの処理では、例えば、患者９に未通院の実績が無い、つまり必ず予約日には通院してきている場合には「Ａ」にランク付ける。
【００６９】
また、例えば、患者９に未通院の実績があることはあるが、未通院の回数が少ない場合は「Ｂ」にランク付ける。そして、未通院の実績があり且つ未通院の回数が多い場合は「Ｃ」にランク付ける（ステップＳ５７）。このランク付けされた「ランクＡ、Ｂ又はＣ」は、患者９が次回通院の際、患者案内システム部２及び携帯端末呼出システム部６に通知される（ステップＳ５４、Ｓ２１、Ｓ６１参照）。
【００７０】
また、携帯端末１１においては、前回受け取った次回の予約日とランクに基づいて、ステップＳ１１５に示す処理が実行される。ステップＳ１１５では、一定のタイミングでランクに応じた周期で通院を促す表示を表示画面に表示する。
【００７１】
すなわち、例えばランクが「Ａ」ならば、予約日の前日と当日のみ通院通知を行う。一方、ランクが「Ｂ」ならば、予約日の３日前から毎日通院通知を行う。そして、ランクが「Ｃ」ならば、予約の３日前から毎日通院通知を行うだけでなく当日には２時間ごとに通院通知を行う、というようにする。
【００７２】
これらの通院通知は、患者関係者４０の携帯端末４１にも通知され、この通知を受けた携帯端末４１は、患者９が未通院であることを表示画面に表示する（ステップＳ４１４）。
【００７３】
このように本発明の実施例によれば、患者の通院を監視し、通院状況を患者および関係者へ周知させることができる。また、また通院の実績に応じて通知の回数や周期を自動的に調整して通知するので、通知の頻度によって患者、特に患者の関係者は、患者の通院状況を知って適切に対処することが出来、品質の良い医療行為が行われるようになる。
【００７４】
また、患者の携帯端末の電話帳情報を活用して患者の通院予定日を患者の携帯端末から患者の関係者に同報配信させるので、医療機関から患者関係者の個人情報が流出する危険は無く、個人情報のセキュリティが向上する。
【００７５】
また、患者の携帯端末からは一般の携帯電話網によって患者関係者の携帯端末に通院予定日が通知されるので、医療機関側では患者関係者の携帯端末を呼出すシステムを特別に構築する必要がなく、システムプログラムの開発コストや保守コストが不要となる。
【産業上の利用可能性】
【００７６】
本発明は、患者だけでなく親族やホームヘルパーなどの患者の関係者へ患者の通院状況を通知し、患者が医師の指示に従って通院や薬の服用を忘れずに実行できるようにする通院通知携帯端末、通院通知方法、及び通院通知プログラムに利用することができる。
【符号の説明】
【００７７】
１  通院通知システム
２  患者案内システム部
３  登録受付部
４  受付部
５  電子カルテ部
６  携帯端末呼出システム部
７  中継サーバ
８  中継機器
９  患者
１０  接続回線
１１  携帯端末
１２  患者案内サーバ
１３  表示装置
１４  登録端末
１５  診察券
１６  受付票
１７  再来受付機
１８  電子カルテ端末
１９  電子カルテサーバ
２１  記憶装置
２２  医師
２３  ＯＳ（operating system）
２４  ビジネスロジック（携帯端末用患者案内表示アプリケーション）
２５  ユーザインタフェース
２６  デバイスロジック
２７  デバイス制御
２８  データ管理
２９  通信管理
３１  通院状況管理
３２  受付番号管理
３３  共通管理
３４  連絡先データ
３５  通院状況データ
３６  送受信管理
３７  ＷＬＡＮ（Wireless Local Area Network)
３８  携帯網
４０  患者関係者
【図１】
0006307193.tif 000002
【図２】
0006307193.tif 000003
【図３Ａ】
0006307193.tif 000004
【図３Ｂ】
0006307193.tif 000005
【図３Ｃ】
0006307193.tif 000006